(57)【特許請求の範囲】
【請求項１】
基材層と、前記基材層上に固定されたネット材とを有する靴中敷であって、
前記ネット材は、芯材と、前記芯材の表面に配された補強糸とから構成されていることを特徴とする靴中敷。
【請求項２】
前記ネット材は、靴中敷の長手方向と幅方向に延びる格子状に配されている請求項１に記載の靴中敷。
【請求項３】
前記ネット材は、目開きが２ｍｍ以上２０ｍｍ以下である請求項２に記載の靴中敷。
【請求項４】
前記補強糸は、靴中敷の幅方向に延在する芯材の表面に配され、靴中敷の長手方向に延在する芯材の表面には配されていない請求項２または３に記載の靴中敷。
【請求項５】
前記ネット材は、蛇行状に配された芯材が複数並んで、互いに繋げられることにより形成されている請求項１〜４のいずれか一項に記載の靴中敷。
【請求項６】
前記補強糸は、前記芯材の表面で編構造を形成している請求項１〜５のいずれか一項に記載の靴中敷。
【請求項７】
前記芯材は帯状である請求項１〜６のいずれか一項に記載の靴中敷。
【請求項８】
前記補強糸はモノフィラメント糸である請求項１〜７のいずれか一項に記載の靴中敷。
【請求項９】
前記基材層はエチレン−酢酸ビニル共重合体から形成されている請求項１〜８のいずれか一項に記載の靴中敷。
【請求項１０】
前記ネット材は、前記基材層に接着剤で固定されている請求項１〜９のいずれか一項に記載の靴中敷。
【請求項１１】
前記ネット材は、前記基材層に、靴中敷の長手方向に延在する縫合糸で縫い付けられている請求項１〜１０のいずれか一項に記載の靴中敷。
【発明の詳細な説明】
【技術分野】
【０００１】
本発明は、靴の内底に取り付ける靴中敷に関するものである。
【背景技術】
【０００２】
従来、様々な靴中敷が知られている。例えば、特許文献１には、編布または織布の繊維生地で形成したクッション層と、クッション層の下側に熱可塑性発泡体からなるシート層とを有する靴中敷であって、シート層には複数個の通気孔が形成され、シート層とクッション層はその周縁部のみで互いに結合し、周縁部を除く両者間に非結合部が形成された靴中敷が開示されている。特許文献２には、一層以上を積層したクッション材と、その表面に結合されたダブルラッセルメッシュ層とよりなる靴中敷きが開示されている。特許文献３には、糸の表面全体をＥＶＡ樹脂によってコーティングして得られる加工糸で織成してなる複数のシート部材を重ね合せ、その周縁を溶着一体とした靴中敷が開示されている。
【先行技術文献】
【特許文献】
【０００３】
【特許文献１】実開平５−８２３０５号公報
【特許文献２】特開平１０−２９５４０９号公報
【特許文献３】特開２００２−１６５６０９号公報
【発明の概要】
【発明が解決しようとする課題】
【０００４】
従来の靴中敷は、クッション性（衝撃吸収性）や靴内部の換気性を改善することを目的としたものが多く、特許文献１〜３に開示された靴中敷もそのような目的でなされている。一方、運動機能を高める点からの検討は、従来ほとんどなされていない。足裏は、立位時に身体で唯一地面と接地する部分であり、動作を行う上で非常に重要な部分である。そして、運動機能向上の点からは、靴を履いた状態で足と靴ができるだけ一体化することが好ましい。この点で、靴を履いた状態で足裏が靴の中で滑ったりせず、また足裏がしっかりと靴底や地面を掴むような感覚、すなわちグリップ力が得られることが望ましい。
【０００５】
本発明は前記事情に鑑みてなされたものであり、その目的は、足裏に対する滑り止め効果が高く、足裏のグリップ力を高めることができる靴中敷を提供することにある。
【課題を解決するための手段】
【０００６】
前記課題を解決することができた本発明の靴中敷とは、基材層と、基材層上に固定されたネット材とを有し、ネット材が、芯材と、芯材の表面に配された補強糸とから構成されているところに特徴を有する。本発明の靴中敷は、ネット材と基材層の段差によって形成される凹凸と、芯材の表面に補強糸が配されることで、芯材と補強糸の段差によって形成される凹凸によって、足裏の滑り止め効果が発揮され、足裏のグリップ力を高めることができる。また、靴中敷の上面に形成された凹凸によって足裏が刺激され、足裏の感覚を高めることができる。そのため、靴中敷を靴の内部に取り付けることにより、足の力を効率的に地面に伝えることが可能となる。
【０００７】
ネット材は、靴中敷の長手方向と幅方向に延びる格子状に配されていることが好ましい。このようにネット材が配されていれば、ネット材の靴中敷の幅方向に延びる部分によって、靴中敷の長手方向に対する滑り止め効果や足裏のグリップ力が高まる。
【０００８】
ネット材は、目開きが２ｍｍ以上２０ｍｍ以下であることが好ましい。ネット材がこのように形成されていれば、ネット材と基材層の段差による凹凸が十分な間隔で形成され、靴中敷による滑り止め効果や足裏のグリップ効果を高めやすくなる。
【０００９】
補強糸は、靴中敷の幅方向に延在する芯材の表面に配され、靴中敷の長手方向に延在する芯材の表面には配されていないことが好ましい。このように補強糸が配されていれば、靴中敷の上面に幅方向に延びる凹凸がより際だって形成され、靴中敷の長手方向に対する滑り止め効果や足裏のグリップ力をさらに高めることができる。
【００１０】
ネット材は、蛇行状に配された芯材が複数並んで、互いに繋げられることにより形成されていることが好ましい。このようにネット材を形成することにより、ネット材の間隙を広く確保しやすくなり、ネット材と基材層の段差による滑り止め効果を高めやすくなる。
【００１１】
補強糸は、芯材の表面で編構造を形成していることが好ましい。補強糸が芯材の表面で編構造を形成していれば、芯材の表面に補強糸による凹凸が多数形成され、靴中敷の滑り止め効果を高めることができるとともに、補強糸が芯材の表面から解けにくくなる。
【００１２】
芯材は帯状であることが好ましい。芯材が帯状に形成されていれば、芯材の表面に補強糸を配した際、帯状の芯材が畳まれて、芯材を嵩高く形成することができる。その結果、芯材の径を見掛け上太くすることができ、また芯材が畳まれることによりネット材にクッション性を付与することができる。そのため、靴中敷の上面に大きな段差を形成しやすくなるとともに、畳まれた芯材によってクッション性が付与されるため、足裏へのフィット性を高めることができる。
【００１３】
補強糸はモノフィラメント糸であることが好ましい。モノフィラメント糸は負荷がかかっても断面が変形しにくいことから、補強糸としてモノフィラメント糸を用いることにより、靴中敷に負荷がかかった状態でも、芯材の表面に補強糸による凹凸を安定して形成することができる。
【００１４】
基材層はエチレン−酢酸ビニル共重合体から形成されていることが好ましい。基材層がエチレン−酢酸ビニル共重合体から形成されていれば、基材層に塑性変形的な性質が付与され、靴中敷を使用しているうちに靴中敷が使用者の足裏の凹凸に追従して変形しやすくなり、靴中敷の足裏へのフィット性を高めることができる。
【００１５】
ネット材は、基材層に接着剤で固定されていることが好ましい。接着剤によりネット材を基材層に強固に固定することができる。ネット材は、基材層に、靴中敷の長手方向に延在する縫合糸で縫い付けられていることも好ましい。ネット材を基材層とともに靴中敷の長手方向に延在する縫合糸で縫い付けることにより、靴中敷が長手方向に反ることによる変形を抑えることができる。
【発明の効果】
【００１６】
本発明の靴中敷は、基材層上にネット材が固定され、ネット材が、芯材の表面に補強糸が配されて構成されているため、ネット材と基材層の段差によって形成される凹凸と、芯材と補強糸の段差によって形成される凹凸によって、足裏の滑り止め効果が発揮され、足裏のグリップ力を高めることができる。そのため、靴中敷を靴の内部に取り付けることにより、足の力を効率的に地面に伝えることが可能となる。
【図面の簡単な説明】
【００１７】
【図１】本発明の靴中敷の上面図を表す。
【発明を実施するための形態】
【００１８】
本発明の靴中敷は、基材層と、基材層上に固定されたネット材とを有するものである。本発明の靴中敷は、ネット材が基材層の上側に配され、ネット材によって使用者の足裏を靴中敷に対して滑りにくくし、足裏のグリップ力を高めることを可能とするものである。本発明の靴中敷を靴の内底（靴の内側の底）に取り付けることにより、走ったりする際、足を蹴り出したりする力を靴中敷を介して好適に地面に伝えることができる。
【００１９】
本発明において、靴中敷の上側とは、靴中敷を靴の内底に取り付けた状態で使用者の足裏に近い側を意味し、靴中敷の下側とは、靴中敷を靴の内底に取り付けた状態で靴の底に近い側を意味する。また靴中敷の長手方向とは、靴中敷を靴の内底に取り付けた状態で靴のつま先からかかとにかけての方向を意味し、靴中敷の幅方向とは、靴中敷上において長手方向に直交する方向を意味する。
【００２０】
基材層はネット材を支持し、靴中敷を平面視した状態で、靴中敷の外形を実質的に形成する。基材層はクッション性を有していることが好ましく、これにより靴中敷の足裏へのフィット性が付与される。
【００２１】
基材層は弾性変形可能な材料から形成されることが好ましく、例えば、発泡ポリマーから形成されることが好ましい。発泡ポリマーとしては、高分子を発泡成形したものであれば特に限定されない。なお基材層は、完全に弾性変形するものである必要はなく、一部塑性変形的な性質を有していてもよい。
【００２２】
基材層は、例えば、ゴム、ポリウレタン、エチレン−酢酸ビニル共重合体（ＥＶＡ）、ポリエチレン、ポリプロピレン等から形成することができる。これらの中でも、基材層は、エチレン−酢酸ビニル共重合体から形成されることが好ましい。基材層がエチレン−酢酸ビニル共重合体から形成されていれば、基材層に塑性変形的な性質が付与され、靴中敷を使用しているうちに靴中敷が使用者の足裏の凹凸に追従して変形しやすくなり、靴中敷の足裏へのフィット性を高めることができる。
【００２３】
基材層は、１層のみから形成されていてもよく、複数層から形成されていてもよい。基材層の厚みは特に限定されないが、例えば、１ｍｍ以上が好ましく、２ｍｍ以上がより好ましく、また７ｍｍ以下が好ましく、５ｍｍ以下がより好ましい。
【００２４】
ネット材は基材層上に固定され、靴中敷の最上層を構成する。ネット材により、基材層上に網目構造が形成される。靴中敷は、上から見たときに、ネット材と、ネット材の間隙から基材層の両方が視認可能となる。ネット材は、基材層と略同一の大きさに形成されることが好ましい。ネット材の基材層上への固定手段は特に限定されず、接着剤、縫合、熱融着等の公知の固定手段を採用すればよい。
【００２５】
ネット材は、芯材と、芯材の表面に配された補強糸とから構成されている。すなわち、芯材の表面に補強糸が配された複合材（例えば、複合糸）が、基材層上に網状に配置されて、ネット材が形成されている。このようにネット材が構成されることにより、靴中敷の上面に凹凸が形成されて、使用者の足裏が靴中敷に対して滑りにくくなり、足裏のグリップ力を高めることができる。本発明の靴中敷は、ネット材と基材層の段差によって形成される凹凸によって、足裏全体の滑り止め効果を発揮することができるとともに、芯材の表面に補強糸が配されることで、芯材と補強糸の段差によって形成される凹凸によって、足裏の小さなレベルでの滑り止め効果（例えば、靴下と靴中敷の間の滑り止め効果等）を発揮することができ、これら両方の効果によって足裏のグリップ力を高めることができる。また、靴中敷の上面に様々な大きさの凹凸が形成されることにより、足裏が刺激され、足裏の感覚を高めることが可能となる。そのため、本発明の靴中敷を靴の内部に取り付けることにより、走ったりする際、足の力を効率的に地面に伝えることができる。
【００２６】
ネット材の網目構造は特に限定されないが、ネット材は、靴中敷の長手方向と幅方向に延びる格子状に配されていることが好ましい。すなわちネット材は、靴中敷の長手方向に延びる部分と幅方向に延びる部分を有する格子状に配されていることが好ましい。このようにネット材が配されていれば、ネット材の靴中敷の幅方向に延びる部分によって、靴中敷の長手方向に対する滑り止め効果や足裏のグリップ力が高まる。そのため、走ったりする際、足を蹴り出したりする力を好適に地面に伝えやすくなる。一方、ネット材の靴中敷の長手方向に延びる部分は、ネット材の靴中敷の幅方向に延びる部分どうしを繋げて、ネット材全体としての保形性を高める。
【００２７】
格子状に配されたネット材は、目開きが２ｍｍ以上であることが好ましく、３ｍｍ以上がより好ましく、また２０ｍｍ以下が好ましく、１５ｍｍ以下がより好ましく、１０ｍｍ以下がさらに好ましい。格子状ネット材の目開きが２ｍｍ以上であれば、靴中敷を上から見て基材層の露出部分が多くなり、ネット材と基材層の段差による凹凸の凹部分が十分な間隔で形成され、格子状のネット材の目開きが２０ｍｍ以下であれば、ネット材と基材層の段差による凹凸の凸部分が十分な間隔で形成され、いずれも靴中敷による滑り止め効果や足裏のグリップ効果を高めやすくなる。なお、格子状のネット材の目開きは、少なくともネット材の長手方向の間隙距離が前記範囲にあることが好ましく、ネット材の長手方向の間隙距離と幅方向の間隙距離がいずれも前記範囲にあることがより好ましい。
【００２８】
ネット材の芯材は、網目構造を形成するように、基材層上に配置されていることが好ましい。すなわちネット材は、芯材の配置によって、基材層上に網目構造が形成されることが好ましく、これによりネット材の強度や保形性が高められる。
【００２９】
芯材は、例えば、糸状体から構成され、糸状体を縦横に延びるように配置することによって、基材層上に網目構造が形成される。この場合、芯材となる糸状体は、モノフィラメント糸、マルチフィラメント糸、スパン糸、プラスチックフィルム等から構成されればよく、糸状体を編んだり、織ったり、あるいは異なる方向に延びる糸状体どうしを重ね合わせたり、蛇行状に配された糸状体どうしを繋ぐこと等により、網目構造が形成されればよい。芯材はまた、プラスチックを網状体に成型することにより、網目構造が形成されてもよい。好ましくは、芯材は糸状体から構成され、これにより芯材の強度を確保しやすくなる。
【００３０】
ネット材は、蛇行状に配された芯材が複数並んで、互いに繋げられることにより形成されることが好ましい。このようにネット材を形成することにより、ネット材の間隙を広く確保しやすくなり、ネット材と基材層の段差による滑り止め効果を高めやすくなる。蛇行状に配された複数の芯材は、芯材どうしが絡まることにより互いに繋げられてもよく、補強糸によって芯材どうしが繋げられてもよく、その両方によって芯材どうしが繋げられてもよい。好ましくは、蛇行状に配された複数の芯材は、芯材どうしは絡まらずに、補強糸によって芯材どうしが繋げられることが好ましい。これにより、芯材どうしの結節点（芯材どうしが繋がる点）で大きな結び目が形成されず、芯材の表面に配した補強糸の効果が好適に発揮されやすくなる。
【００３１】
補強糸としては、モノフィラメント糸、マルチフィラメント糸、スパン糸等を用いることができる。補強糸は、芯材の表面の一部を覆うように配されることが好ましく、すなわち芯材は、補強糸によって覆われずに表面が露出している部分を有することが好ましい。例えば、芯材の表面に補強糸が配されるネット材の結節点間（ネット材が格子状に配される場合は格子点間）では、芯材の表面が補強糸によって覆われずに露出している部分が存在していることが好ましい。このように補強糸が配されることにより、芯材の表面に補強糸による小さな段差が多数形成され、靴中敷の滑り止め効果を高めることができる。なおネット材には、芯材の表面に補強糸が全く配されない結節点間が存在していてもよい。
【００３２】
ネット材が格子状に配される場合は、補強糸は、少なくとも靴中敷の幅方向に延在する芯材の表面に配されることが好ましい。靴中敷の幅方向に延在する芯材の表面に補強糸が配されていれば、靴中敷の長手方向に対する滑り止め効果や足裏のグリップ力が高まる。より好ましくは、補強糸は、靴中敷の幅方向に延在する芯材の表面に配され、靴中敷の長手方向に延在する芯材の表面には配されない。このように補強糸が配されていれば、靴中敷の上面に幅方向に延びる凹凸がより際だって形成され、靴中敷の長手方向に対する滑り止め効果や足裏のグリップ力をさらに高めることができる。
【００３３】
補強糸は、例えば、芯材の表面にらせん状に配されたり、芯材と撚り合わされたり、また芯材の表面で編構造を形成していてもよい。補強糸は、１本の芯材の表面に１本のみ配されていても、２本以上配されていてもよい。なお補強糸は、芯材の表面で編構造を形成していることが好ましく、これにより芯材の表面に補強糸による段差が多数形成され、靴中敷の滑り止め効果を高めることができるとともに、補強糸が芯材の表面から解けにくくなる。補強糸の編構造としては経編が好ましく、これにより補強糸を芯材の延在方向に沿って配しやすくなる。例えば、芯材を絡ませながら補強糸を鎖編みすることにより、芯材の表面に補強糸による強固な編構造を形成することができる。
【００３４】
芯材は補強糸よりも太く（幅広に）形成されていることが好ましい。芯材が補強糸よりも太ければ、芯材の配置によって靴中敷の上面に大きな段差が形成されるとともに、芯材の表面に配された補強糸によって小さな段差が形成され、靴中敷による滑り止め効果が好適に発揮されやすくなる。なお、芯材や補強糸が異形断面を有する場合は、断面の最長長さを太さとする。
【００３５】
芯材は帯状であることが好ましい。すなわち、芯材の断面は扁平であることが好ましい。芯材が帯状に形成されていれば、芯材の表面周囲に補強糸を配した際、帯状の芯材が畳まれて、芯材を嵩高く形成することができる。その結果、芯材の径を見掛け上太くすることができ、また芯材が畳まれることによりネット材にクッション性を付与することができる。そのため、靴中敷の上面に大きな段差を形成しやすくなるとともに、畳まれた芯材によってクッション性が付与されるため、足裏へのフィット性を高めることができる。帯状の芯材としては、例えば、フラットヤーン等を用いることができる。
【００３６】
芯材が帯状に形成される場合、芯材を嵩高く形成し、また芯材によるクッション性が好適に発現されるようにする点から、帯状の芯材の幅は１．０ｍｍ以上が好ましく、１．５ｍｍ以上がより好ましい。一方、帯状の芯材の幅の上限は特に限定されないが、例えば８．０ｍｍ以下が好ましく、６．０ｍｍ以下がより好ましい。
【００３７】
補強糸はモノフィラメント糸であることが好ましい。モノフィラメント糸は負荷がかかっても断面が変形しにくいことから、補強糸としてモノフィラメント糸を用いることにより、靴中敷に負荷がかかった状態でも、芯材の表面に補強糸による凹凸を安定して形成することができる。モノフィラメント糸は断面略円形を有することが好ましい。
【００３８】
補強糸は、直径０．１ｍｍ以上であることが好ましく、０．２ｍｍ以上がより好ましく、また１．０ｍｍ未満が好ましく、０．７ｍｍ以下がより好ましい。補強糸がこのような直径を有していれば、補強糸による滑り止め効果を高めやすくなる。また、このような補強糸を用いたネット材は、グリップ力を好適に発揮させやすくなる。なお、補強糸が円形以外の断面を有する場合は、補強糸の直径は円相当径（補強糸の断面積と等面積の円の直径）により求めるものとする。
【００３９】
芯材と補強糸の構成材料としては、ポリエチレン、ポリプロピレン等のポリオレフィン、ＰＥＴ等のポリエステル、ナイロン等のポリアミドが挙げられる。芯材と補強糸は、同じ材料から構成されてもよく、異なる材料から構成されてもよい。なお靴中敷は、靴の内底に取り付けて運動等をすることにより比較的高い負荷がかかることから、高い耐摩耗性や耐久性を有することが好ましく、この点から芯材と補強糸はポリアミド（特にナイロン）から構成されていることが好ましい。
【００４０】
ネット材は、基材層に接着剤で固定されていることが好ましい。接着剤によりネット材を基材層に強固に固定することができる。接着剤は、ネット材の下面全体に塗工されることが好ましいが、基材層の上面全体には塗工されないことが好ましい。すなわち基材層は、ネット材の間隙で、接着剤に覆われずに靴中敷の上面に露出していることが好ましい。このように接着剤が塗工されれば、基材層の柔軟性やクッション性を確保しやすくなる。
【００４１】
ネット材は、基材層に、靴中敷の長手方向に延在する縫合糸で縫い付けられていることも好ましい。ネット材を、靴中敷の長手方向に延在する縫合糸で基材層に縫い付けることにより、靴中敷が長手方向に反ることによる変形を抑えることができる。例えば、靴中敷は、使用するにつれて、使用者の足の重みにより長手方向の両端が上側に反り返ったりする場合があるが、この場合、靴中敷が靴の内部でずれるおそれがある。しかし、ネット材を基材層とともに靴中敷の長手方向に延在する縫合糸で縫い付けることにより、縫合糸が靴中敷の長手方向への反り返しを抑えることができる。
【００４２】
靴中敷の長手方向に延在するように縫い付けられる縫合糸の数は、１本以上であれば特に限定されず、２本以上が幅方向に離間して縫い付けられることがより好ましい。なお、縫合糸の数が多すぎても、基材層の強度が低下するおそれがあることから、縫合糸の数は５本以下が好ましく、４本以下がより好ましい。縫合糸は、最も長いもので、靴中敷の長手方向の長さの７５％以上の長さで縫い付けられることが好ましく、８５％以上がより好ましく、９５％以上がさらに好ましい。
【００４３】
靴中敷の周縁部は、ネット材と基材層を挟むように配された保護布材により縁取られていることが好ましい。靴中敷の周縁部に保護布材を設けることにより、ネット材が基材層から剥離しにくくなり、靴中敷の一体性を確保しやすくなる。好ましくは、靴中敷の周縁部全体が保護布材により縁取られる。保護布材は、伸縮性を有するものであってもよい。
【００４４】
次に、本発明の靴中敷について、図面を参照して説明する。なお、本発明の靴中敷は、図面に示された実施態様に限定されるものではない。図１には本発明の靴中敷の一例を示した。図１は、靴中敷の上面図を表している。
【００４５】
靴中敷１は、基材層２と、基材層２上に固定されたネット材３とを有する。ネット材３は、芯材４と、芯材４の表面に配された補強糸５とから構成され、基材層２上に網状に配置されている。靴中敷１は、ネット材３と基材層２の段差によって形成される凹凸と、芯材４の表面に補強糸５が配されることで形成される凹凸によって、足裏の滑り止め効果が発揮され、足裏のグリップ力を高めることができる。また、靴中敷１の上面に形成された凹凸によって足裏が刺激され、足裏の感覚を高めることができる。そのため、靴中敷１を靴の内部に取り付けることにより、足の力を効率的に地面に伝えることができる。
【００４６】
ネット材３は、靴中敷１の長手方向ｙと幅方向ｘに延びる格子状に配されている。このようにネット材３が配されていれば、ネット材３の幅方向ｘに延びる部分によって、長手方向ｙに対する滑り止め効果や足裏のグリップ力が高まる。特に図１に示した靴中敷１では、補強糸５が、幅方向ｘに延在する芯材４の表面に配され、長手方向ｙに延在する芯材４の表面には配されていないため、ネット材３の幅方向ｘに延びる部分による凹凸がより際だって形成され、長手方向ｙに対する滑り止め効果や足裏のグリップ力を高めることができる。
【００４７】
ネット材３は、蛇行状に配された芯材４が複数並んで、互いに繋げられることにより形成されている。このようにネット材３を形成することにより、ネット材３の間隙を広く確保しやすくなり、ネット材３と基材層２の段差による滑り止め効果を高めやすくなる。蛇行状に配された複数の芯材４は、芯材４どうしは絡まらずに、補強糸５によって芯材４どうしが繋げられている。これにより、芯材４どうしが繋がる部分で大きな結び目が形成されず、補強糸５を芯材４の表面に配することにより形成される凹凸の効果が好適に発揮されやすくなる。
【００４８】
補強糸５は、芯材４の表面で編構造を形成している。詳細には、芯材４の表面で経編構造を形成している。これにより芯材４の表面に補強糸５による段差が多数形成され、靴中敷１の滑り止め効果を高めることができるとともに、補強糸５が芯材４の表面から解けにくくなる。
【００４９】
芯材４は帯状であることが好ましい。芯材４が帯状に形成されていれば、芯材４の表面に補強糸５を配した際、帯状の芯材４が畳まれて、芯材４を嵩高く形成することができる。そのため、芯材４の径を見掛け上太くすることができ、ネット材３によって靴中敷１の上面に大きな段差を形成しやすくなる。特に図１に示した靴中敷１では、補強糸５が、幅方向ｘに延在する芯材４の表面に配され、長手方向ｙに延在する芯材４の表面には配されていないため、帯状の芯材４を用いることにより、ネット材３の幅方向ｘに延びる部分によって大きな段差が形成され、ネット材３の長手方向ｙに延びる部分は芯材４が畳まれることにより、あまり段差が形成されない。そのため、ネット材３の幅方向ｘに延びる部分による凹凸がより際だって形成され、靴中敷１の長手方向ｙに対する滑り止め効果や足裏のグリップ力をさらに高めることができる。
【００５０】
補強糸５はモノフィラメント糸であることが好ましい。モノフィラメント糸は負荷がかかっても断面が変形しにくいことから、補強糸５としてモノフィラメント糸を用いることにより、靴中敷１に負荷がかかっても、芯材４の表面に補強糸５による段差を安定して形成することができる。
【００５１】
ネット材３は、基材層２に接着剤で固定されるとともに、長手方向ｙに延在する縫合糸６で縫い付けられている。接着剤によりネット材３を基材層２に強固に固定できるとともに、ネット材３を基材層２とともに長手方向ｙに延在する縫合糸６で縫い付けることにより、靴中敷１が長手方向ｙに反ることによる変形を抑えることができる。
【００５２】
靴中敷１の周縁部は、ネット材３と基材層２を挟むように配された保護布材７により縁取られている。靴中敷１の周縁部に保護布材７を設けることにより、ネット材３が基材層２から剥離しにくくなり、靴中敷１の一体性を確保しやすくなる。
【符号の説明】
【００５３】
１：  靴中敷
２：  基材層
３：  ネット材
４：  芯材
５：  補強糸
６：  縫合糸
７：  保護布材
【図１】
0005978322.tif 000002